(57)【要約】【課題】ＩＣカードにアクセスするだけで、実データの内容を確認することが可能なデータ管理システムを提供する。【解決手段】端末本体２５は、コンテンツをサーバ３からダウンロードする際に、対応する権利管理情報、関連情報もダウンロードし、これを端末本体２５に接続されたＩＣカード２７に保存する。  関連情報とは、コンテンツの概要を示す情報であり、コンテンツのリンク情報、間引きデータファイル情報等からなっている。  端末本体２５の利用者は、ＩＣカード２７にアクセスすることにより、関連情報を利用して、コンテンツの概要の確認ができ、またリンク情報を参照してコンテンツが保存された記憶部等へアクセスすることにより、コンテンツの利用が可能となる。【選択図】図１１
2007200100.tif 000002
【特許請求の範囲】
【請求項１】
ＩＣカードを利用した携帯端末のデータ管理システムであって、
サーバと、前記サーバにネットワークを介して接続された携帯端末と、からなり、
前記携帯端末は、端末本体と、前記端末本体に接続されたＩＣカードと、
からなり、
前記サーバは、
コンテンツと、前記コンテンツの利用の制限に関する情報である権利管理情報と、前記コンテンツの概要を示す情報である関連情報を保持する手段と、
前記端末本体の求めに応じて前記権利管理情報と前記関連情報を前記端末本体に送信する送信手段と、
を有し、
前記端末本体は、前記サーバから送信された前記権利管理情報と前記関連情報をＩＣカードに送信する送信手段を有し、
前記ＩＣカードは、前記端末本体から送信された前記権利管理情報と前記関連情報を前記コンテンツと関連付けて保持する手段と、
を有することを特徴とするデータ管理システム。
【請求項２】
前記サーバは、前記端末本体の要求に応じて前記コンテンツを前記端末本体に送信する送信手段を有し、
前記端末本体は、前記要求に応じて前記サーバから送信された前記コンテンツを保持する手段を有することを特徴とする請求項１記載のデータ管理システム。
【請求項３】
前記関連情報は、前記コンテンツのファイル名および／または前記コンテンツのリンク情報および／または前記コンテンツの間引きデータであることを特徴とする請求項１記載のデータ管理システム。
【請求項４】
前記端末本体は、前記コンテンツを基に前記コンテンツの間引きデータを作成することを特徴とする請求項３記載のデータ管理システム。
【請求項５】
前記ＩＣカードは、前記コンテンツを基に前記コンテンツの間引きデータを作成することを特徴とする請求項３記載のデータ管理システム。
【請求項６】
前記ＩＣカードは、前記端末本体の求めに応じて前記権利管理情報と、前記関連情報を前記端末本体に送信することを特徴とする請求項１記載のデータ管理システム。
【請求項７】
コンテンツと、前記コンテンツの利用の制限に関する情報である権利管理情報と、前記コンテンツの概要を示す情報である関連情報と、を保有するサーバにネットワークを介して接続された携帯端末であって、
端末本体と、前記端末本体に接続されたＩＣカードと、
からなり、
前記端末本体は、前記サーバに前記権利管理情報と前記関連情報の送信を要求する手段と、
前記要求に応じて前記サーバから送信された前記権利管理情報と前記関連情報を前記ＩＣカードに送信する送信手段と、
を有し、
前記ＩＣカードは、前記端末本体から送信された前記権利管理情報と、前記関連情報を前記コンテンツと関連付けて保持する手段と、
を有することを特徴とする携帯端末。
【請求項８】
前記端末本体は、前記コンテンツを保持する手段を有することを特徴とする請求項７記載の携帯端末。
【請求項９】
前記関連情報は、前記コンテンツのファイル名および／または前記コンテンツのリンク情報および／または前記コンテンツの間引きデータであることを特徴とする請求項７記載の携帯端末。
【請求項１０】
前記端末本体は、前記コンテンツを基に前記コンテンツの間引きデータを作成することを特徴とする請求項９記載の携帯端末。
【請求項１１】
コンテンツと、前記コンテンツの利用の制限に関する情報である権利管理情報と、前記コンテンツの概要を示す情報である関連情報と、を保有するサーバにネットワークを介して接続された端末本体に接続されたＩＣカードであって、
前記サーバから前記端末本体を経由して送信された前記権利管理情報と前記関連情報を、前記コンテンツと関連付けて保存する保存手段を有することを特徴とするＩＣカード。
【請求項１２】
前記関連情報は、前記コンテンツのファイル名および／または前記コンテンツのリンク情報および／または前記コンテンツの間引きデータであることを特徴とする請求項１１記載のＩＣカード。
【請求項１３】
前記ＩＣカードは、前記コンテンツを基に前記コンテンツの間引きデータを作成することを特徴とする請求項１２記載のＩＣカード。
【請求項１４】
前記ＩＣカードは、前記端末本体の求めに応じて前記権利管理情報と、前記関連情報を前記端末本体に送信する送信手段を有することを特徴とする請求項１１記載のＩＣカード。
【請求項１５】
ＩＣカードを利用した携帯端末のデータ管理システムであって、
コンテンツと、前記コンテンツの利用の制限に関する情報である権利管理情報と、前記コンテンツの概要を示す情報である関連情報と、を保有するサーバと、
前記サーバにネットワークを介して接続された携帯端末と、
からなり、
前記携帯端末は、ＩＣカードを有し、
前記サーバは、前記ＩＣカードの要求に応じて前記権利管理情報と前記関連情報を前記ＩＣカードに送信する送信手段を有し、
前記ＩＣカードは、前記要求に応じて前記サーバから送信された前記権利管理情報と前記関連情報を前記コンテンツと関連付けて保持する手段と、
を有することを特徴とするデータ管理システム。
【請求項１６】
前記サーバは、前記ＩＣカードの要求に応じて前記コンテンツを前記携帯端末経由で前記ＩＣカードに送信する送信手段を有し、
前記ＩＣカードは、前記サーバに前記携帯端末経由で前記コンテンツの送信を要求する手段と、
前記要求に応じて送信された前記コンテンツを前記携帯端末に保存する保存手段と、
を有することを特徴とする請求項１５記載のデータ管理システム。
【請求項１７】
前記関連情報は、前記コンテンツのファイル名および／または前記コンテンツのリンク情報および／または前記コンテンツの間引きデータであることを特徴とする請求項１５記載のデータ管理システム。
【請求項１８】
前記ＩＣカードは、前記コンテンツを基に前記コンテンツの間引きデータを作成することを特徴とする請求項１７記載のデータ管理システム。
【請求項１９】
コンテンツと、前記コンテンツの利用の制限に関する情報である権利管理情報と、前記コンテンツの概要を示す情報である関連情報と、を保有するサーバにネットワークを介して接続された携帯端末に接続されたＩＣカードであって、
前記サーバに前記権利管理情報と前記関連情報の送信を要求する手段と、
前記要求に応じて前記サーバから送信された前記権利管理情報と、前記関連情報を前記コンテンツと関連付けて保持する手段と、
を有することを特徴とするＩＣカード。
【請求項２０】
前記コンテンツを前記サーバに送信するよう要求する手段と、
前記要求に応じて前記サーバから送信された前記コンテンツを前記端末本体に保持する手段と、
をさらに有することを特徴とする請求項１９記載のＩＣカード。
【請求項２１】
前記関連情報は、前記コンテンツのファイル名および／または前記コンテンツのリンク情報および／または前記コンテンツの間引きデータであることを特徴とする請求項１９記載のＩＣカード。
【請求項２２】
前記ＩＣカードは、前記コンテンツを基に前記コンテンツの間引きデータを作成することを特徴とする請求項２１記載のＩＣカード。
【請求項２３】
コンピュータを請求項７から１０のいずれかに記載の端末本体として機能させるためのプログラム。
【請求項２４】
ＩＣカードを請求項１１から１４のいずれかに記載のＩＣカードとして機能させるためのプログラム。
【請求項２５】
ＩＣカードを請求項１９から２２のいずれかに記載のＩＣカードとして機能させるためのプログラム。
【発明の詳細な説明】
【技術分野】
【０００１】
本発明は、データ管理システムに関するものである。
【背景技術】
【０００２】
従来、携帯電話等の携帯端末は、端末本体の記憶装置に利用者の利用者情報や個人データ等を保存していた。
【０００３】
一方、このような構成では、端末を変更する度に利用者情報や個人データを端末間で転送しなくてはならないため、近年では、これらの情報をＩＣカードに保存し、端末を変更する場合は、ＩＣカードを交換することにより容易に情報の転送を行えるようにしているものがある。
【０００４】
ところで、近年では携帯電話が大容量の動画、画像データを扱えるようになっているが、ＩＣカードは容量の制約上、これらの実データを保存することが困難であることが多い。
【０００５】
そこで、ＩＣカードにはデータの保存されたメモリやサーバへのパス情報のみを記録し、実データとリンク付けるシステムとしている場合があり、以下のようなものが知られている。（特許文献１）。
【特許文献１】特開平４-３２４８６２号公報
【発明の開示】
【発明が解決しようとする課題】
【０００６】
しかしながら、このようなシステムでは、ＩＣカード内の情報が実データのパス情報のみであるため、ＩＣカードにアクセスしただけでは実データの内容を確認することができなかった。
【０００７】
本発明は、このような問題に鑑みてなされたもので、その目的はＩＣカードにアクセスするだけで、実データの内容を確認することが可能なデータ管理システムを提供することにある。
【課題を解決するための手段】
【０００８】
前述した目的を達成するために、第１の発明は、ＩＣカードを利用した携帯端末のデータ管理システムであって、サーバと、前記サーバにネットワークを介して接続された携帯端末と、からなり、前記携帯端末は、端末本体と、前記端末本体に接続されたＩＣカードと、
からなり、前記サーバは、コンテンツと、前記コンテンツの利用の制限に関する情報である権利管理情報と、前記コンテンツの概要を示す情報である関連情報を保持する手段と、前記端末本体の求めに応じて前記権利管理情報と前記関連情報を前記端末本体に送信する送信手段と、を有し、前記端末本体は、前記サーバから送信された前記権利管理情報と前記関連情報をＩＣカードに送信する送信手段を有し、前記ＩＣカードは、前記端末本体から送信された前記権利管理情報と前記関連情報を前記コンテンツと関連付けて保持する手段と、を有することを特徴とするデータ管理システムである。
【０００９】
前記サーバは、前記端末本体の要求に応じて前記コンテンツを前記端末本体に送信する送信手段を有し、前記端末本体は、前記要求に応じて前記サーバから送信された前記コンテンツを保持する手段を有してもよい。
前記関連情報は、前記コンテンツのファイル名および／または前記コンテンツのリンク情報および／または前記コンテンツの間引きデータである。
前記端末本体は、前記コンテンツを基に前記コンテンツの間引きデータを作成してもよい。
前記ＩＣカードは、前記コンテンツを基に前記コンテンツの間引きデータを作成してもよい。
前記ＩＣカードは、前記端末本体の求めに応じて前記権利管理情報と、前記関連情報を前記端末本体に送信する。
【００１０】
第２の発明は、コンテンツと、前記コンテンツの利用の制限に関する情報である権利管理情報と、前記コンテンツの概要を示す情報である関連情報と、を保有するサーバにネットワークを介して接続された携帯端末であって、端末本体と、前記端末本体に接続されたＩＣカードと、からなり、前記端末本体は、前記サーバに前記権利管理情報と前記関連情報の送信を要求する手段と、前記要求に応じて前記サーバから送信された前記権利管理情報と前記関連情報を前記ＩＣカードに送信する送信手段と、を有し、前記ＩＣカードは、前記端末本体から送信された前記権利管理情報と、前記関連情報を前記コンテンツと関連付けて保持する手段と、を有することを特徴とする携帯端末である。
【００１１】
前記端末本体は、前記コンテンツを保持する手段を有してもよい。
前記関連情報は、前記コンテンツのファイル名および／または前記コンテンツのリンク情報および／または前記コンテンツの間引きデータである。
前記端末本体は、前記コンテンツを基に前記コンテンツの間引きデータを作成してもよい。
【００１２】
第３の発明はコンテンツと、前記コンテンツの利用の制限に関する情報である権利管理情報と、前記コンテンツの概要を示す情報である関連情報と、を保有するサーバにネットワークを介して接続された端末本体に接続されたＩＣカードであって、前記サーバから前記端末本体を経由して送信された前記権利管理情報と前記関連情報を、前記コンテンツと関連付けて保存する保存手段を有することを特徴とするＩＣカードである。
【００１３】
前記関連情報は、前記コンテンツのファイル名および／または前記コンテンツのリンク情報および／または前記コンテンツの間引きデータである。
前記ＩＣカードは、前記コンテンツを基に前記コンテンツの間引きデータを作成してもよい。
前記ＩＣカードは、前記端末本体の求めに応じて前記権利管理情報と、前記関連情報を前記端末本体に送信する。
【００１４】
第４の発明は、ＩＣカードを利用した携帯端末のデータ管理システムであって、コンテンツと、前記コンテンツの利用の制限に関する情報である権利管理情報と、前記コンテンツの概要を示す情報である関連情報と、を保有するサーバと、前記サーバにネットワークを介して接続された携帯端末と、からなり、前記携帯端末は、ＩＣカードを有し、前記サーバは、前記ＩＣカードの要求に応じて前記権利管理情報と前記関連情報を前記ＩＣカードに送信する送信手段を有し、前記ＩＣカードは、前記要求に応じて前記サーバから送信された前記権利管理情報と前記関連情報を前記コンテンツと関連付けて保持する手段と、を有することを特徴とするデータ管理システムである。
【００１５】
前記サーバは、前記ＩＣカードの要求に応じて前記コンテンツを前記携帯端末経由で前記ＩＣカードに送信する送信手段を有し、前記ＩＣカードは、前記サーバに前記携帯端末経由で前記コンテンツの送信を要求する手段と、前記要求に応じて送信された前記コンテンツを前記携帯端末に保存する保存手段と、を有してもよい。
【００１６】
前記関連情報は、前記コンテンツのファイル名および／または前記コンテンツのリンク情報および／または前記コンテンツの間引きデータである。
前記ＩＣカードは、前記コンテンツを基に前記コンテンツの間引きデータを作成してもよい。
【００１７】
第５の発明は、コンテンツと、前記コンテンツの利用の制限に関する情報である権利管理情報と、前記コンテンツの概要を示す情報である関連情報と、を保有するサーバにネットワークを介して接続された携帯端末に接続されたＩＣカードであって、前記サーバに前記権利管理情報と前記関連情報の送信を要求する手段と、前記要求に応じて前記サーバから送信された前記権利管理情報と、前記関連情報を前記コンテンツと関連付けて保持する手段と、を有することを特徴とするＩＣカードである。
【００１８】
前記ＩＣカードは、前記コンテンツを前記サーバに送信するよう要求する手段と、前記要求に応じて前記サーバから送信された前記コンテンツを前記端末本体に保持する手段と、
をさらに有してもよい。
前記関連情報は、前記コンテンツのファイル名および／または前記コンテンツのリンク情報および／または前記コンテンツの間引きデータである。
前記ＩＣカードは、前記コンテンツを基に前記コンテンツの間引きデータを作成する。
【００１９】
第６の発明はコンピュータを第２の発明記載の端末本体として機能させるためのプログラムである。
第７の発明はＩＣカードを第３の発明記載のＩＣカードとして機能させるためのプログラムである。
【００２０】
第８の発明は、コンピュータを第５の発明記載のＩＣカードとして機能させるためのプログラムである。
【発明の効果】
【００２１】
本発明によれば、ＩＣカードにアクセスするだけで、実データの内容を確認することが可能なデータ管理システムを提供することができる。
【発明を実施するための最良の形態】
【００２２】
以下、図面に基づいて本発明に好適な実施形態を詳細に説明する。図１は、第１の実施形態に係るデータ管理システム１の構成を示すブロック図であって、図２は図１のサーバ３のハードウェア構成を示す図である。
【００２３】
また、図３はサーバ３の記憶部１１の構成を示す図であって、図４は図１の携帯端末５のハードウェア構成を示す図である。
さらに、図５は端末本体２５の記憶部４１の構成を示す図であって、図６はＩＣカード２７のハードウェア構成を示す図である。
【００２４】
また、図７はＩＣカード２７の記憶部７１の構成を示す図、図８は関連情報データベース３０４の構成を示す図、図９はメモリカード２９の構成を示す図である。
【００２５】
図１に示すように、データ管理システム１は、サーバ３と複数の携帯端末５とが、ネットワーク７を介して接続されている。
【００２６】
ネットワーク７は、移動体通信事業者の携帯電話網、インターネット、ローカルエリアネットワーク（ＬＡＮ）等のネットワークであり、有線、無線は問わない。
【００２７】
サーバ３は後述するように、コンテンツを配信するコンピュータであり、コンテンツの所有者、または所有者へのサービスプロバイダが所有している。
【００２８】
図２に示すように、サーバ３は、制御部９、記憶部１１、通信部１３、入力部１５、表示部１７、インタフェース部１９等がバス２１を介して互いに接続されている。また、バス２１は、通信ケーブルまたは無線ネットワークへのゲートウェイ装置２３を介してネットワーク７と接続されている。
【００２９】
制御部９は、ＣＰＵ（Central
Processing Unit）、ＲＯＭ（Read Only
Memory）、ＲＡＭ（Random Access
Memory）等で構成され、記憶部１１に格納されたプログラムに従って、バス２１を介して接続された各装置を駆動制御する。
【００３０】
記憶部１１には、図３に示すように、サーバ３の各構成部分を駆動制御するための制御プログラム１０１、本発明を実施するためのコンテンツ送信プログラム１０３、コンテンツの概要を示す情報である関連情報データベース１０９、コンテンツの利用の制限に関する情報の集合である権利管理情報データベース１１０が格納されている。なお、関連情報データベース１０９の詳細は後述する。
【００３１】
また、記憶部１１には、コンテンツデータの集合であるコンテンツデータベース１０５およびサーバ３が保有するコンテンツのリストであるコンテンツリスト１０７、が格納されている。
【００３２】
これらの各プログラムコードは、制御部９により必要に応じて読み出されてＲＡＭに移され、ＣＰＵに読み出されて各種の手段として実行される。
【００３３】
入力部１５、表示部１７は、制御部９のＲＯＭや記憶部１１に記憶されているプログラムや情報をバージョンアップする際などに用いられる。
【００３４】
通信部１３は、通信ケーブル２３及び無線ネットワークを介し、携帯端末５と通信を行う際に用いられる。
インタフェース部１９には別途プリンタ等が接続される。
【００３５】
図４に示すように、携帯端末５は、端末本体２５および端末本体２５のインタフェース部３１に接続されたＩＣカード２７、メモリカード２９からなる。
【００３６】
端末本体２５は携帯電話等であり、制御部３９、記憶部４１、通信部４３、入力部４５、表示部４７、インタフェース部３１、カメラ５３、赤外通信部５５、マイク５７等がバス５１を介して互いに接続されている。
【００３７】
制御部３９は、ＣＰＵ、ＲＯＭ、ＲＡＭ等で構成され、記憶部４１に格納されたプログラムに従って、バス５１を介して接続された各装置を駆動制御する。
【００３８】
記憶部４１には、図５に示すように、端末本体２５の各構成部分を駆動制御するための制御プログラム２０１、コンテンツを再生するためのコンテンツ再生プログラム２０２、本発明を実施するためのコンテンツ送受信プログラム２０３、関連情報を作成するためのプログラムである関連情報作成プログラム３０５ａが格納されている。
【００３９】
これらの各プログラムコードは、制御部３９により必要に応じて読み出されてＲＡＭに移され、ＣＰＵに読み出されて各種の手段として実行される。
【００４０】
入力部４５、表示部４７は端末本体２５が、サーバ３や他の端末本体２５と通話、通信を行う際や、端末本体２５の動作設定の際に用いられる。
カメラ５３はデジタルカメラ等であり、写真の撮影に用いられる。
マイク５７は、通話の際に用いられる。
【００４１】
赤外通信部５５は赤外線を用いて携帯端末５同士でデータの送受信を行う際に用いられ、赤外線受発光機６１が設けられている。
【００４２】
通信部４３は、サーバ３や他の端末本体２５と通話や通信を行う際に用いられ、通信用のアンテナ５９が接続されている。
【００４３】
インタフェース部３１は周辺機器を接続するためのポートであり、ＩＣカード２７、メモリカード２９が接続されている。
【００４４】
図６に示すように、ＩＣカード２７は制御部６９、記憶部７１、インタフェース部７３がバス７５を介して互いに接続されている。
なお、インタフェース部７３には端末本体２５が接続されている。
【００４５】
制御部６９は、ＣＰＵ、ＲＯＭ、ＲＡＭ等で構成され、制御部のＲＯＭ内、もしくは記憶部７１に格納されたプログラムに従って、バス７５を介して接続された各装置を駆動制御する。
【００４６】
制御部のＲＯＭ内、もしくは記憶部７１には、図７に示すように、ＩＣカード２７の各構成部分を駆動制御するための制御プログラム３０１、本発明を実施するためのコンテンツ送受信プログラム３０２が格納されている。
【００４７】
また、携帯端末５が保有するコンテンツのリストであるコンテンツリスト３０３、関連情報データベース３０４、コンテンツの利用の制限に関する情報の集合である権利管理情報データベース３０９、関連情報を作成するためのプログラムである関連情報作成プログラム３０５ａが格納されている。
【００４８】
これらの各プログラムコードは、制御部６９により必要に応じてＣＰＵに読み出されて各種の手段として実行される。
【００４９】
図８に示すように、関連情報データベース３０４、１０９は、携帯端末５が保有するコンテンツの概要を示す情報であり、コンテンツ番号３０５、ファイル名３０６、リンク情報３０７、間引きデータファイル情報３０８等からなる。
【００５０】
コンテンツ番号３０５は携帯端末５が保有するコンテンツの番号である。
ファイル名３０６は携帯端末５が保有するコンテンツのファイル名であり、携帯端末５の使用者は、ファイル名３０６を閲覧することにより、携帯端末５が保有するコンテンツを確認することができる。
【００５１】
リンク情報３０７は、コンテンツが保存されている場所を示す情報である。第１の実施形態では、コンテンツはメモリカード２９に保存されているため、リンク情報３０７にはメモリカード２９のファイル名が記載される。
【００５２】
一方、コンテンツによってはサーバ３から携帯端末５へのダウンロードが禁止されており、携帯端末５はサーバ３へのアクセスしなければコンテンツを利用できないものがある。
【００５３】
かかる場合は、リンク情報３０７にはサーバ３のインターネットアドレス等が情報として記載されている。
【００５４】
携帯端末５の使用者は、リンク情報３０７を閲覧することにより、携帯端末５が保有するコンテンツのリンク先を確認し、コンテンツを利用したい場合は、リンク先にアクセスすることができる。
【００５５】
間引きデータファイル情報３０８とは、コンテンツのサイズや内容の一部を省略、縮小して容量を小さくした情報であり、コンテンツの概要を確認したい場合に閲覧されるものである。
【００５６】
間引きデータファイル情報は、例えば静止画像の場合はサムネイルと呼ばれる縮小画像であり、動画の場合はタイトル画面のみの静止画である。また、音声データの場合はデータの先頭数秒のみのデータである。
【００５７】
また、メモリカード２９は記憶部８１からなる大容量記憶媒体であり、図９に示すように、コンテンツの集合であるコンテンツデータベース４０１が保存されている。
なお、コンテンツデータベース４０１は端末本体２５の記憶部４１に保存されていてもよい。
【００５８】
次に、データ管理システム１の動作について説明する。
まず、携帯端末５がサーバ３からコンテンツおよびコンテンツに対応する権利管理情報、関連情報をダウンロードする場合の動作について図１０を用いて説明する。
【００５９】
図１０は携帯端末５がサーバ３からコンテンツおよびコンテンツに対応する権利管理情報、関連情報をダウンロードする場合の動作を示すフローチャートである。
【００６０】
まず、携帯端末５の端末本体２５の制御部３９は、コンテンツ送受信プログラム２０３を起動し、通信部４３を用い、ネットワーク７を介してサーバ３にアクセスして、サーバ３が保有するコンテンツリスト１０７の送信を要求する（ステップ５０１）。
【００６１】
端末本体２５からの要求を受けたサーバ３の制御部９は、コンテンツ送信プログラム１０３を起動し、記憶部１１が保有するコンテンツリスト１０７を、ネットワーク７を介して端末本体２５に送信する（ステップ５０２）。
【００６２】
なお、コンテンツリスト１０７を受信した端末本体２５の制御部３９は、必要に応じて表示部４７にコンテンツリスト１０７を表示し、携帯端末５の利用者は利用したいコンテンツを選択する。
【００６３】
利用したいコンテンツが決定すると、端末本体２５の制御部３９は、通信部４３を用い、ネットワーク７を介してサーバ３にアクセスして、利用したいコンテンツの実データの送信を要求する（ステップ５０３）。
【００６４】
端末本体２５からの要求を受けたサーバ３の制御部９は、記憶部１１が保有するコンテンツを、コンテンツデータベース１０５から選択し、これをネットワーク７を介して端末本体２５に送信する。このとき、コンテンツに対応した権利管理情報および関連情報も同時に権利管理情報データベース１１０、関連情報データベース１０９から選択して送信する（ステップ５０４）。
【００６５】
なお、先に述べたように、サーバ３から携帯端末５へのダウンロードが禁止されており、携帯端末５はサーバ３へのアクセスしなければコンテンツを利用できない場合は、サーバ３は権利管理情報および関連情報のみを端末本体２５に送信する。
【００６６】
端末本体２５の制御部９は、コンテンツを受信し（ステップ５０５）、コンテンツをメモリカード２９の記憶部８１内にあるコンテンツデータベース４０１内に保存する（ステップ５０６）。
【００６７】
次に、端末本体２５の制御部９は、ＩＣカード２７にコンテンツに対応した権利管理情報および関連情報を送信する（ステップ５０７）。
【００６８】
ＩＣカード２７の制御部６９は、コンテンツ送受信プログラム３０２を起動して権利管理情報および関連情報を受信する（ステップ５０８）。
そして、権利管理情報および関連情報を、記憶部７１内の権利管理情報データベース３０９および関連情報データベース３０４に、それぞれ保存する（ステップ５０９）。
【００６９】
このようにして、携帯端末５はサーバ３からコンテンツおよびコンテンツに対応する権利管理情報、関連情報をダウンロードする。
【００７０】
なお、第１の実施形態ではサーバ３が関連情報を保有していない場合がある。
かかる場合は、コンテンツデータを基に、端末本体２５の制御部３９もしくはＩＣカード２７の制御部６９が関連情報作成プログラム３０５ａを起動し、関連情報を作成する。
【００７１】
例えば、サーバ３が間引きデータファイルを有していない場合は、端末本体２５の制御部３９もしくはＩＣカード２７の制御部６９がコンテンツの画像、もしくは音声データの一部をコピーし、これを加工することにより間引きデータファイルを作成する。
【００７２】
次に、携帯端末５がコンテンツを再生する場合の動作について説明する。
図１１は携帯端末５がコンテンツを再生する場合の動作を示すフローチャートである。
【００７３】
まず、端末本体２５の制御部３９は、コンテンツ送受信プログラム２０３を起動し、ＩＣカード２７に対してコンテンツリスト３０３の送信を要求する（ステップ６０１）。
【００７４】
端末本体２５からの要求を受けたＩＣカード２７の制御部６９は、コンテンツ送受信プログラム３０２を起動し、記憶部７１が保有するコンテンツリスト３０３を端末本体２５に送信する（ステップ６０２）。
【００７５】
なお、コンテンツリスト３０３を受信した端末本体２５の制御部３９は、必要に応じて表示部４７にコンテンツリスト３０３を表示し、携帯端末５の利用者は利用したいコンテンツを選択する。
【００７６】
利用したいコンテンツが決定すると、端末本体２５の制御部３９は、ＩＣカード２７に対し、選択したコンテンツに対応した権利管理情報および関連情報の送信を要求する（ステップ６０３）。
【００７７】
端末本体２５からの要求を受けたＩＣカード２７の制御部６９は、記憶部７１が保有する権利管理情報データベース３０９および関連情報データベース３０４から、選択したコンテンツに対応した権利管理情報および関連情報を選択し、これを端末本体２５に送信する（ステップ６０４）。
【００７８】
なお、権利管理情報および関連情報を受信した端末本体２５の制御部３９は、必要に応じて表示部４７に関連情報を表示する。
携帯端末５の利用者は例えば関連情報の有する間引きデータファイル情報３０８を閲覧することにより、利用したいコンテンツの概要を確認することができる。
【００７９】
利用したいコンテンツの概要を確認した上で、最終的に利用者が利用したいコンテンツを選択すると、端末本体２５の制御部３９は、関連情報の保有するリンク情報３０７を参照し、コンテンツを保有する記憶装置等に対して選択したコンテンツの送信を要求する（ステップ６０５）。
なお、第１の実施形態ではコンテンツはメモリカード２９に保存されているため、制御部３９は、メモリカード２９にコンテンツの送信を要求する。
【００８０】
端末本体２５からの要求を受けたメモリカード２９は、記憶部８１が保有するコンテンツデータベース４０１から、選択したコンテンツを選択し、これを端末本体２５に送信する（ステップ６０６）。
【００８１】
端末本体２５の制御部３９は、コンテンツを受信し（ステップ６０７）、権利管理情報を基にして、表示部４７等を用いてコンテンツを再生する（ステップ６０８）。
【００８２】
このようにして端末本体２５はコンテンツを再生する。
【００８３】
このように、第１の実施の形態によれば、データ管理システム１は、サーバ３と携帯端末５からなり、携帯端末５はサーバ３から送信されたコンテンツを利用する場合は、携帯端末５が有するＩＣカード２７が有する関連情報を参照してコンテンツの概要を確認したり、コンテンツが保存された記憶装置からコンテンツを受信したりする。
従って、ＩＣカード２７にアクセスするだけで、実データの内容を確認することができる。
【００８４】
次に、第２の実施形態について説明する。
図１２は第２の実施形態に係るデータ管理システム１ａに用いられる携帯端末５ａのハードウェア構成を示す図であって、図１３はＩＣカード２７の記憶部７１を示す図である。
【００８５】
なお、第１の実施形態と同様の機能を果たす要素には同一の番号を付し、説明を省略する。
【００８６】
第２の実施形態に係るデータ管理システム１ａでは、図１２に示す端末本体２５ａの制御機能を用いず、ＩＣカード２７が端末本体２５ａの各装置を駆動制御する。
【００８７】
また、図１３に示すように、ＩＣカード２７の制御部のＲＯＭまたは記憶部７１には制御プログラム３０１、コンテンツ再生プログラム２０２、コンテンツ送受信プログラム２０３、関連情報作成プログラム３０５ａ、コンテンツリスト３０３、関連情報データベース３０４、権利管理情報データベース３０９が格納されている。
【００８８】
なお、データ管理システム１ａの構成およびサーバ３のハードウェア構成および記憶部１１の構成、ＩＣカード２７のハードウェア構成、メモリカード２９の構成は第１の実施形態と同様であるため、説明を省略する。
【００８９】
次に、データ管理システム１ａの動作について説明する。
まず、携帯端末５ａがサーバ３からコンテンツおよびコンテンツに対応する権利管理情報、関連情報をダウンロードする場合の動作について説明する。
【００９０】
図１４は携帯端末５ａがサーバ３からコンテンツおよびコンテンツに対応する権利管理情報、関連情報をダウンロードする場合の動作を示すフローチャートである。
【００９１】
まず、携帯端末５のＩＣカード２７の制御部６９は、コンテンツ送受信プログラム２０３を起動し、端末本体２５ａの通信部４３を用い、ネットワーク７を介してサーバ３にアクセスして、サーバ３が保有するコンテンツリスト１０７の送信を要求する（ステップ７０１）。
【００９２】
端末本体２５からの要求を受けたサーバ３の制御部９は、コンテンツ送信プログラム１０３を起動し、記憶部１１が保有するコンテンツリスト１０７を、ネットワーク７を介してＩＣカード２７に送信する（ステップ７０２）。
【００９３】
なお、コンテンツリスト１０７を受信したＩＣカード２７の制御部９は、必要に応じて端末本体２５ａの表示部４７にコンテンツリスト１０７を表示し、携帯端末５ａの利用者は利用したいコンテンツを選択する。
【００９４】
利用したいコンテンツが決定すると、ＩＣカード２７の制御部９は、通信部４３を用い、ネットワーク７を介してサーバ３にアクセスして、利用したいコンテンツの実データの送信を要求する（ステップ７０３）。
【００９５】
端末本体２５からの要求を受けたサーバ３の制御部９は、要求されたコンテンツを、コンテンツデータベース１０５から選択し、これをネットワーク７を介してＩＣカード２７に送信する。このとき、コンテンツに対応した権利管理情報および関連情報も同時に権利管理情報データベース１１０、関連情報データベース１０９から選択して送信する（ステップ７０４）。
【００９６】
なお、先に述べたように、サーバ３から携帯端末５へのダウンロードが禁止されており、携帯端末５はサーバ３へのアクセスしなければコンテンツを利用できない場合は、サーバ３は権利管理情報および関連情報のみをＩＣカード２７に送信する。
【００９７】
ＩＣカード２７の制御部６９は、コンテンツ、権利管理情報および関連情報を受信し（ステップ７０５）、コンテンツをメモリカード２９の記憶部８１内にあるコンテンツデータベース４０１内に保存する（ステップ７０６）。
【００９８】
最後に、ＩＣカード２７の制御部６９は、権利管理情報および関連情報を記憶部７１内の権利管理情報データベース３０９および関連情報データベース３０４に、それぞれ保存する（ステップ７０７）。
【００９９】
このようにして、携帯端末５ａはサーバ３からコンテンツおよびコンテンツに対応する権利管理情報、関連情報をダウンロードする。
【０１００】
なお、第１の実施形態同様、サーバ３が関連情報を保有していない場合は、ＩＣカード２７の制御部６９が関連情報作成プログラム３０５ａを起動し、コンテンツデータを基に、関連情報を作成する。
【０１０１】
次に、携帯端末５ａがコンテンツを再生する場合の動作について説明する。
図１５は携帯端末５ａがコンテンツを再生する場合の動作を示すフローチャートである。
【０１０２】
まず、ＩＣカード２７の制御部６９は、コンテンツ再生プログラム２０２を起動して、必要に応じて端末本体２５ａの表示部４７にコンテンツリスト３０３を表示し（ステップ８０１）、携帯端末５の利用者は利用したいコンテンツを選択する。
【０１０３】
なお、この際、必要に応じて表示部４７に関連情報を表示する。
携帯端末５の利用者は例えば関連情報の有する間引きデータファイル情報３０８を閲覧することにより、利用したいコンテンツの概要を確認することができる。
【０１０４】
利用したいコンテンツの概要を確認した上で、最終的に利用者が利用したいコンテンツを選択すると、ＩＣカード２７の制御部６９は、関連情報の保有するリンク情報３０７を参照し、コンテンツを保有する記憶装置等に対して選択したコンテンツの送信を要求する（ステップ８０２）。
なお、第２の実施形態ではコンテンツはメモリカード２９に保存されているため、制御部３９は、メモリカード２９にコンテンツの送信を要求する。
【０１０５】
ＩＣカード２７の制御部６９からの要求を受けたメモリカード２９は、記憶部８１が保有するコンテンツデータベース４０１から、選択したコンテンツを選択し、これをＩＣカード２７に送信する（ステップ８０３）。
【０１０６】
ＩＣカード２７の制御部６９は、コンテンツを受信し（ステップ８０４）、権利管理情報を基にして、表示部４７等を用いてコンテンツを再生する（ステップ８０５）。
【０１０７】
このようにして端末本体２５ａはコンテンツを再生する。
【０１０８】
このように、第２の実施の形態によれば、データ管理システム１ａは、サーバ３と携帯端末５ａからなり、携帯端末５ａはサーバ３から送信されたコンテンツを利用する場合は、携帯端末５が有するＩＣカード２７が有する関連情報を参照してコンテンツの概要を確認したり、コンテンツが保存された記憶装置からコンテンツを受信したりする。
従って，第１の実施形態と同様の効果を奏する。
【０１０９】
また、第２の実施形態によれば、携帯端末５ａの制御をＩＣカード２７の制御部６９のみが行うため、構成が単純であり、コストや消費電力を抑えることができる。
【０１１０】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【０１１１】
【図１】データ管理システム１の構成を示すブロック図
【図２】サーバ３のハードウェア構成を示す図
【図３】サーバ３の記憶部１１の構成を示す図
【図４】携帯端末５のハードウェア構成を示す図
【図５】端末本体２５の記憶部４１の構成を示す図
【図６】ＩＣカード２７のハードウェア構成を示す図
【図７】ＩＣカード２７の記憶部７１の構成を示す図
【図８】関連情報データベース３０４の構成を示す図
【図９】メモリカード２９の構成を示す図
【図１０】携帯端末５がサーバ３からコンテンツおよびコンテンツに対応する権利管理情報、関連情報をダウンロードする場合の動作を示すフローチャート
【図１１】携帯端末５がコンテンツを再生する場合の動作を示すフローチャート
【図１２】データ管理システム１ａに用いられる携帯端末５ａのハードウェア構成を示す図
【図１３】ＩＣカード２７の記憶部７１を示す図
【図１４】携帯端末５ａがサーバ３からコンテンツおよびコンテンツに対応する権利管理情報、関連情報をダウンロードする場合の動作を示すフローチャート
【図１５】携帯端末５ａがコンテンツを再生する場合の動作を示すフローチャート
【符号の説明】
【０１１２】
１…………データ管理システム
３…………サーバ
５…………携帯端末
７…………ネットワーク
９…………制御部
１１………記憶部
１３………通信部
２５………端末本体
２７………ＩＣカード
２９………メモリカード
３１………インタフェース部
３９………制御部
４１………記憶部
４３………通信部
６９………制御部
７１………記憶部
８１………記憶部
３０４……関連情報データベース
【図１】
2007200100.tif 000003
【図２】
2007200100.tif 000004
【図３】
2007200100.tif 000005
【図４】
2007200100.tif 000006
【図５】
2007200100.tif 000007
【図６】
2007200100.tif 000008
【図７】
2007200100.tif 000009
【図８】
2007200100.tif 000010
【図９】
2007200100.tif 000011
【図１０】
2007200100.tif 000012
【図１１】
2007200100.tif 000013
【図１２】
2007200100.tif 000014
【図１３】
2007200100.tif 000015
【図１４】
2007200100.tif 000016
【図１５】
2007200100.tif 000017